(57)【要約】【課題】  潤滑油の状況を安定して好適に把握することが可能な検知装置およびその検知装置を備える車両を提供する。【解決手段】  油表面の波の影響を円筒ガイド１０１で減らしつつ超音波の反射時間を測定することによりオイルレベルを安定的に検出し、また超音波の減衰率の測定により気泡層の厚さを計測できる。さらにフロート１０４の密度を調整することで、潤滑油中に大量に気泡が混入したときにフロート１０４を沈ませてこの状況を検知することができる。この場合には減衰率も増加するので単に潤滑油量が減っただけではなく、大量の気泡が混入したということが検出できる。さらには、燃料混入による潤滑油の比重の変化を検出し潤滑油の希釈が発生したことを検出することも可能である。【選択図】        図２
2005308563.tif 000002
【特許請求の範囲】
【請求項１】
潤滑油の状況を検知する検知装置であって、
前記潤滑油の比重以下の所定の比重を有する浮動体と、
前記浮動体の周囲を取り囲み、前記浮動体の水平方向の位置を拘束する拘束手段と、
前記浮動体の上下方向の位置を検出する位置検出手段とを備える、検知装置。
【請求項２】
前記拘束手段は、
前記浮動体を内部に収容し、少なくとも１箇所の空気孔が設けられた筒部と、
前記潤滑油が浸入可能なように孔が設けられ、前記筒部の底面を前記浮動体が脱落しないように塞ぐ底面とを含む、請求項１に記載の検知装置。
【請求項３】
前記浮動体は、前記潤滑油の把握すべき状況に応じて比重が定められる、請求項１または２に記載の検知装置。
【請求項４】
前記把握すべき状況は、前記潤滑油に気泡が混入した状況であり、
前記浮動体の比重は所定量の気泡が混入した状態の前記潤滑油の比重に基づいて定められる、請求項３に記載の検知装置。
【請求項５】
前記把握すべき状況は、前記潤滑油に燃料が混入した状況であり、
前記浮動体の比重は所定量の燃料が混入した状態の前記潤滑油の比重に基づいて定められる、請求項３に記載の検知装置。
【請求項６】
前記空気孔は、前記潤滑油のレベル検出予定範囲より上部に設けられる、請求項２に記載の検知装置。
【請求項７】
前記位置検出手段は、
前記筒部の上端に付設される信号送受信手段と、
前記浮動体の上面に設けられる反射面とを含む、請求項１〜６のいずれか１項に記載の検知装置。
【請求項８】
前記信号送受信手段によって送受信される信号は、超音波である、請求項７に記載の検知装置。
【請求項９】
潤滑油の状況を検知する検知装置を備え、
前記検知装置は、
前記潤滑油の比重以下の所定の比重を有する浮動体と、
前記浮動体の周囲を取り囲み、前記浮動体の水平方向の位置を拘束する拘束手段と、
前記浮動体の上下方向の位置を検出する位置検出手段とを含み、
前記検知装置によって状況が把握される潤滑油により潤滑が行なわれる駆動機関と、
前記検知装置の出力に応じて前記駆動機関の運転を制御する制御手段とをさらに備える、車両。
【請求項１０】
前記制御手段は、前記駆動機関の始動が予告されると、前記駆動機関を始動する前に前記位置検出手段の出力に応じて前記浮動体の上下方向の位置を検知し前記潤滑油の量が適正量であるか否かを判断する、請求項９に記載の車両。
【請求項１１】
前記制御手段は、前記駆動機関の始動後において前記位置検出手段の出力に応じて前記浮動体の上下方向の位置を検知し前記浮動体の上下方向の位置が第１のレベルを下回ったときは、前記駆動機関の運転状態を通常運転状態とは異なる第１の警告状態とする、請求項９に記載の車両。
【請求項１２】
前記制御手段は、前記駆動機関の始動後において前記浮動体の上下方向の位置が第１のレベルより下の第２のレベルを下回ったときは、前記第１の警告状態よりもさらに警告度の高い第２の警告状態とする、請求項１１に記載の車両。
【請求項１３】
前記位置検出手段は、
前記筒部の上端に付設される超音波を送受信する信号送受信手段と、
前記浮動体の上面に設けられる反射面とを含み、
前記制御手段は、前記超音波の受信強度が低下すると前記潤滑油の劣化を報知する、請求項９に記載の車両。
【請求項１４】
前記潤滑油の温度を上昇させるヒータをさらに備え、
前記制御手段は、前記駆動機関の始動後において前記位置検出手段の出力に応じて前記浮動体の上下方向の位置を検知し前記浮動体の上下方向の位置が所定の第３のレベルを上回ったときは、前記ヒータを動作させる、請求項９に記載の車両。
【発明の詳細な説明】
【技術分野】
【０００１】
本発明は、内燃機関の潤滑油の状況を把握する検知装置、およびその検知装置を備える車両に関する。
【背景技術】
【０００２】
従来、エンジンオイルの液面レベルの検出は、潤滑油が所定量レベルに減ったことを検出し潤滑油不足によるエンジントラブルを防止するために行なわれていた。しかし、オイルの変質や劣化についてはほとんど検出することは考えられていなかった。
【０００３】
エンジンオイルの液面レベルとエンジンオイルの劣化の両方が検知できる複合センサが実開昭６３−１２２２３９号公報（特許文献１）に開示されている。この複合センサは、潤滑油中に設置された超音波反射板とこれに連結されたフロートおよび超音波を送受信する送受信面で構成されている。
【特許文献１】実開昭６３−１２２２３９号公報
【発明の開示】
【発明が解決しようとする課題】
【０００４】
しかしながら、実開昭６３−１２２２３９号公報（特許文献１）に開示されたセンサでは、超音波を送受信する送受信面が潤滑油中に固定されているため、この送受信面に汚れが付着すると、潤滑油の劣化による超音波の減衰が正確に検出されない可能性がある。
【０００５】
また、このセンサは、超音波を反射する反射板がロッドでフロートに接続されている。潤滑油のレベルが下がると、フロートが下がり、超音波送受信面から発信される超音波を反射しない位置に反射板が移動するので超音波の受信レベルが０になる。つまり、潤滑油のレベルに関しては所定レベル以上あるか否かの検出しかできず、潤滑油のレベルを細かく観測することはできない。
【０００６】
さらに、車両の振動、潤滑油の飛散、およびクランクシャフトの回転などにより、潤滑油の表面は波が発生しておりフロートが波に影響されやすい。
【０００７】
オイルパン中の潤滑油の表面には、車両の振動や可動部からの潤滑油の飛散などに伴い気泡層が形成される場合がある。潤滑油には消泡剤が添加されているが消泡剤の効果が薄れてくると、油表面の波によって潤滑油の表面の気泡層が厚くなってしまうことがある。気泡の量が多くなってしまうと潤滑油の粘度が下がってしまい、またオイルポンプによる送出量が少なくなってしまい、潤滑性能が低下してしまう。
【０００８】
また、油面が上昇しすぎると、運動部品に干渉し潤滑油にさらに気泡が混ざる原因となる。潤滑油が気泡を含むと見かけ上の粘度がさがり潤滑性能が低下する。また、気泡を含むと潤滑油は非圧縮流体として扱えなくなり、油圧作動のものについては音の発生や動きがスムーズでなくなる等の現象が発生する。
【０００９】
また近年、潤滑油に未燃焼の燃料が混入してしまうことが問題となっている。この問題は、特に、筒内噴射式ガソリンエンジンやディーゼルエンジンのように燃料噴射弁の噴射口と気筒内周面との間の距離が短い場合に噴射燃料が気筒内周面に直接衝突し、これがピストンリングによってクランクケース内に掻き落とされることによって生ずる。
【００１０】
ディーゼルエンジンの場合は、ディーゼル微粒子除去装置（ＤＰＦ）の装着が近年叫ばれているが、この種の装置でもフィルタで捕捉した微粒子を燃焼させるために後噴射を行なわせることが考えられている。この場合においても、後噴射した燃料の一部が気筒の内壁に付着し潤滑油が燃料によって希釈されてしまう。
【００１１】
潤滑油が燃料によって希釈されてしまうと、潤滑油の潤滑性能が低下してしまう。したがって希釈がある程度進むとこれを検知して警告することが望ましい。
【００１２】
この発明の目的は、潤滑油の状況を安定して好適に把握することが可能な検知装置およびその検知装置を備える車両を提供することである。
【課題を解決するための手段】
【００１３】
この発明は、要約すると、潤滑油の状況を検知する検知装置であって、潤滑油の比重以下の所定の比重を有する浮動体と、浮動体の周囲を取り囲み、浮動体の水平方向の位置を拘束する拘束手段と、浮動体の上下方向の位置を検出する位置検出手段とを備える。
【００１４】
好ましくは、拘束手段は、浮動体を内部に収容し、少なくとも１箇所の空気孔が設けられた筒部と、潤滑油が浸入可能なように孔が設けられ、筒部の底面を浮動体が脱落しないように塞ぐ底面とを含む。
【００１５】
好ましくは、浮動体は、潤滑油の把握すべき状況に応じて比重が定められる。
【００１６】
より好ましくは、把握すべき状況は、潤滑油に気泡が混入した状況であり、浮動体の比重は所定量の気泡が混入した状態の潤滑油の比重に基づいて定められる。
【００１７】
より好ましくは、把握すべき状況は、潤滑油に燃料が混入した状況であり、浮動体の比重は所定量の燃料が混入した状態の潤滑油の比重に基づいて定められる。
【００１８】
好ましくは、空気孔は、潤滑油のレベル検出予定範囲より上部に設けられる。
【００１９】
好ましくは、位置検出手段は、筒部の上端に付設される信号送受信手段と、浮動体の上面に設けられる反射面とを含む。
【００２０】
より好ましくは、信号送受信手段によって送受信される信号は、超音波である。
【００２１】
この発明の他の局面に従うと、車両であって、潤滑油の状況を検知する検知装置を備える。検知装置は、潤滑油の比重以下の所定の比重を有する浮動体と、浮動体の周囲を取り囲み、浮動体の水平方向の位置を拘束する拘束手段と、浮動体の上下方向の位置を検出する位置検出手段とを含む。車両は、検知装置によって状況が把握される潤滑油により潤滑が行なわれる駆動機関と、検知装置の出力に応じて駆動機関の運転を制御する制御手段とをさらに備える。
【００２２】
好ましくは、制御手段は、駆動機関の始動が予告されると、駆動機関を始動する前に位置検出手段の出力に応じて浮動体の上下方向の位置を検知し潤滑油の量が適正量であるか否かを判断する。
【００２３】
好ましくは、制御手段は、駆動機関の始動後において位置検出手段の出力に応じて浮動体の上下方向の位置を検知し浮動体の上下方向の位置が第１のレベルを下回ったときは、駆動機関の運転状態を通常運転状態とは異なる第１の警告状態とする。
【００２４】
より好ましくは、制御手段は、駆動機関の始動後において浮動体の上下方向の位置が第１のレベルより下の第２のレベルを下回ったときは、第１の警告状態よりもさらに警告度の高い第２の警告状態とする。
【００２５】
好ましくは、位置検出手段は、筒部の上端に付設される超音波を送受信する信号送受信手段と、浮動体の上面に設けられる反射面とを含み、制御手段は、超音波の受信強度が低下すると潤滑油の劣化を報知する。
【００２６】
好ましくは、車両は潤滑油の温度を上昇させるヒータをさらに備え、制御手段は、駆動機関の始動後において位置検出手段の出力に応じて浮動体の上下方向の位置を検知し浮動体の上下方向の位置が所定の第３のレベルを上回ったときは、ヒータを動作させる。
【発明の効果】
【００２７】
本発明によれば、浮動体が拘束手段によって取囲まれており、潤滑油表面の波に浮動体が影響されることを防ぐことができ、安定して潤滑油のレベルを検出することができる。
【００２８】
また、信号送受信部が筒部の上部に設けられているので、汚れの付着に対しても有利である。
【００２９】
さらに、浮動体の比重を調整することにより、潤滑油の燃料等による希釈を検出することができる。
【００３０】
さらに、潤滑油の状況を把握し、車両を駆動する駆動機関の運転を適切に制御することができる。
【発明を実施するための最良の形態】
【００３１】
以下において、本発明の実施の形態について図面を参照して詳しく説明する。なお、図中同一または相当部分には同一の符号を付してその説明は繰返さない。
【００３２】
図１は、本発明の検知装置を搭載する車両の駆動を行なう内燃機関を示した図である。
【００３３】
図１を参照して、この内燃機関は、ヘッドカバー１６と、シリンダブロック１７と、オイルパン７４とを含む。
【００３４】
この内燃機関は、さらに、ヘッドカバー１６に吸気を導入するための吸気通路１１と、ヘッドカバー１６から排気を行なうための排気通路１３と、内燃機関の回転速度を検知する回転速度センサ４３と、シリンダブロックを冷却する水温を検知する水温センサ４５と、オイルパン７４の中に保持される潤滑油の状況を把握する検知装置４７と、吸気通路１１に設けられ吸入空気量を検出する吸入空気量センサ４２と、アクセルペダル６０の近傍に設けられ踏込量（アクセル開度）を検出するアクセルセンサ４４と、排気通路１３に設けられ排気の酸素濃度に基づいて空燃費を検出するための酸素センサ４６と、潤滑油の温度を上昇させるためのヒータ４８とを含む。
【００３５】
この内燃機関は、さらに、各種センサの出力を受け、点火プラグ２２の点火時期や燃料噴射弁２０から噴射される燃料の量および噴射タイミングを制御するエンジン制御ユニット（ＥＣＵ）５０を含む。ＥＣＵ５０はまた、各種センサの出力を観測し、これらに異常が観測されると表示部３０に警告表示を点灯させるように指示する。ＥＣＵ５０は、検知装置４７および水温センサ４５の出力に応じて、潤滑油の温度を上昇させるヒータ４８を制御する。
【００３６】
シリンダブロック１７は、シリンダ１７Ａとクランクケース１７Ｂとを含む。シリンダ１７Ａの内部には、ピストン１４が往復動可能に設けられている。ピストン１４の上部と気筒内周面１８とにより燃焼室１２が区画形成されている。燃焼室１２には吸気通路１１および排気通路１３がそれぞれ接続される。吸気通路１１の途中にはスロットルバルブ２６が設けられており、このスロットルバルブ２６により燃焼室１２に導入される吸入空気の量が調整される。
【００３７】
吸気弁１２が開いているときに燃焼室１２に導入された吸入空気は、燃料噴射弁２０から噴射される燃料と混合されて混合気となる。そしてこの混合気は点火プラグ２２の点火によって爆発燃焼した後に、排気弁２３の開弁時に燃焼室１２から排気通路１３に排出される。排気通路１３には排気浄化機能を有した触媒装置２７が設けられている。
【００３８】
クランクケース１７Ｂの下部には、オイルパン７４が取付けられており、オイルパン７４には潤滑油が所定量保持されている。保持されている潤滑油は、潤滑油供給装置７２によって内燃機関の各部に供給される。潤滑油供給装置７２は、図示しないオイルポンプ、フィルタおよびオイルジェット機構などを含む。
【００３９】
オイルパン７４内の潤滑油は、フィルタを介してオイルポンプにより吸引されオイルジェット機構に供給される。そして、ピストン１４と気筒内周面１８との間を循環するために、オイルジェット機構によって気筒内周面１８に潤滑油が供給される。その後、潤滑油はピストン１４が往復動するのに伴い、図１中に破線矢印で示すように気筒内周面１８からクランクケース１７Ｂを伝ってオイルパン７４に戻される。
【００４０】
図２は、図１における検知装置４７の構成を示した図である。
【００４１】
図２を参照して、検知装置４７は、潤滑油の比重以下の所定の比重を有するフロート１０４と、フロート１０４の周囲を取囲み、フロート１０４の水平方向の位置を拘束する円筒ガイド１０１と、フロート１０４の上下方向の位置を検出する位置検出手段である超音波発信機１０２および超音波受信機１０３とを含む。
【００４２】
円筒ガイド１０１には、周囲の潤滑油のレベルが変動したことに応じてフロート１０４が上下方向に可動なように複数の空気孔１１１が設けられている。この空気孔の位置は、潤滑油の液面の変動が及ばない位置に設けられており、潤滑油表面の波は円筒ガイド１０１によって遮られフロート１０４は潤滑油の表面の平均的な位置に保持される。
【００４３】
円筒ガイド１０１にはフロート１０４が脱落しないように塞ぐ底面１１３が設けられており、この底面１１３には潤滑油の浸入が可能なように孔が設けられている。なお、この底面は潤滑油が通過でき、またフロート１０４が脱落しない機能を果たすものであればよく、金属製の網のようなものでもよい。網のようなものでも潤滑油が浸入可能なような多数の孔が設けられていることになる。
【００４４】
検知装置４７の構成によれば、超音波の伝達時間で潤滑油表面までの距離を計測することができる。フロート１０４の表面にはこの超音波を反射しやすいような反射面１１２が設けられており、この反射面はたとえば金属板やセラミックス板などで構成される。フロート１０４の平均密度は、オイル密度の０．５〜１倍程度とするのがよい。フロート１０４は円筒ガイド１０１の内部で上下方向に自由に動くことができるため、潤滑油の量が変動するとこれに伴いフロート１０４の上下方向の位置も変動する。
【００４５】
図３は、フロート１０４の比重の設定について説明するための図である。
【００４６】
図３を参照して、気泡なし、すなわち気泡が０％の潤滑油の比重をｄとする。これに対し潤滑油に気泡がＡ％混入した状態を検出する場合に設定するフロートの比重ａは次のように定まる。水平軸において気泡なしの比重ｄを基準としてこの点からマイナス方向にＡ％のところに縦に破線を引く。この破線が１対１のラインと交差した点に白丸がプロットされている。この白丸の垂直方向の位置がフロートの比重ａを示す。すなわち比重ａは次式（１）で示される。
【００４７】
ａ＝ｄ＊（１００−Ａ）／１００…（１）
図４は、検知装置４７が観測する潤滑油のレベルについて説明するための図である。
【００４８】
図４を参照して、超音波発信機１０２から発射される超音波が反射面１１２によって反射され、そして超音波受信機１０３で受信される。この発射から受信までに要した時間、すなわち反射時間を測定することにより潤滑油の表面位置を検出することができる。
【００４９】
また潤滑油の表面に存在する気泡と潤滑油が混じった気泡層の存在についていは、反射された超音波がＧ％以上強度低下することによって表面泡の異常を検出することができる。
【００５０】
エンジン始動前は潤滑油はオイルパンに集結しているので運転時の場合とレベルが異なる。すなわち静的なオイルレベルに対し運転時のオイルレベルは若干下がる。図４では、この運転時オイルレベルと静的オイルレベルとを横に並べてその関係を示している。
【００５１】
運転時オイルレベルとして、上から順に異常上昇と判定するレベル、設計上限レベル、設計中央レベル、設計下限レベル、異常低下と判定するレベルが示されている。運転時オイルレベルの異常上昇と判定するレベルはＫに設定されている。また運転時オイルレベルの異常低下と判定するレベルはＨと設定されている。
【００５２】
また運転時オイルレベルは、これに加えて計測最下限レベルが設定される。運転時オイルレベルの計測最下限と判定するレベルはＥと設定されている。なおこの計測最下限が検出される場合は潤滑油中の泡が異常に発生した場合である。これはたとえば、潤滑油を多く入れすぎてしまい、内燃機関の可動部分と潤滑油とが干渉しているような場合が考えられる。このような場合にはフロート１０４は最下限値まで沈んでしまう。
【００５３】
運転時オイルレベルの右側に、各レベルに対応する静的オイルレベルが示されている。静的オイルレベルにおいて異常上昇と判定されるレベルはＣと設定されている。また異常低下と判定されるレベルはＤと設定されている。
【００５４】
検知装置４７を用いることにより、反射時間の測定によりオイルレベルを検出しまた減衰率の測定により気泡層の厚さを計測できる。さらにフロートの密度を調整することで、潤滑油中に大量に気泡が混入したときにフロートを沈ませてこの状況を検知することができる。この場合には減衰率も増加するので単に潤滑油量が減っただけではなく、大量の気泡が混入したということが検出できる。
【００５５】
図５は、図１におけるＥＣＵ５０の制御を説明するための図である。
【００５６】
図においてＡ，Ｃ，Ｄ，Ｅ，Ｆ，Ｇ，Ｈ，Ｊ，Ｋ，Ｌ，ａは設計値であり、適切な値が選択される。
【００５７】
まずステップＳ１において、イグニッションスイッチがユーザにより操作される。イグニッションスイッチは、オフ、アクセサリオン、オン、エンジンスタートの４つの位置のいずれかに設定される。ステップＳ１でイグニッションスイッチがアクセサリオンの位置に設定されると、ステップＳ２において検知装置４７によって超音波信号が発射され、これによるフロート１０４の位置が計測される。これは先に説明したように超音波の反射時間によって換算して求められる。
【００５８】
図６は、図１のメモリ５２に保持されるデータを説明するための図である。
【００５９】
図６に示すように、時刻ｔ１〜ｔｎに対応するフロート位置Ｘ１〜Ｘｎ、反射強度Ｙ１〜Ｙｎが取得され、メモリ５２に保持される。ステップＳ２の測定結果はこの第１回目の測定時間ｔ１の測定結果に対応する。
【００６０】
再び図５を参照して、ステップＳ２の測定が終了し、続いてステップＳ３に進む。ステップＳ３では、フロートの位置が図４で説明した静的オイルレベルの異常上昇と判定する設定値Ｃと異常低下と判定する設定値Ｄの間の範囲にあるか否かが判定される。
【００６１】
ステップＳ３において測定されたフロートの位置が設定値Ｃと設定値Ｄのレベルの間の範囲になければステップＳ４に進みオイルレベル異常と判定され、そしてステップＳ５においてＥＣＵ５０は表示部３０にオイル点検の警告灯を点灯させるように指示する。またＥＣＵ５０は、点火プラグ２２および燃料噴射弁２０に対してエンジンの始動を停止する制御を行なう。その場合はオイルレベルの異常が解消するように修理工場に車両が運搬され修理が行なわれる。
【００６２】
一方、ステップＳ３において静的オイルレベルが設定値Ｃ〜Ｄの範囲内にあると判定されるとステップＳ６に進み、イグニッションスイッチの設定に応じてエンジンの運転が開始される。
【００６３】
そして、以降ステップＳ７、Ｓ８、Ｓ９、Ｓ１０の処理が順次行なわれる。
【００６４】
まずステップＳ７では潤滑油中の泡が異常に発生していないかどうかが判断される。まずステップＳ７１において、検知装置４７において超音波信号によるフロートの位置計測が行なわれる。これは超音波の反射時間を換算することにより求められる。この計測がＦ秒以上続けられその結果がメモリ５２に保持される。なお、必要に応じて検出されたフロート位置に対して平均化処理を行なってもよい。
【００６５】
続いてステップＳ７２においてフロート１０４の位置が図４で説明したレベルＥにＦ秒以上あるか否かが判断される。ステップＳ７２においてフロート位置がレベルＥにＦ秒以上あると判断された場合にはステップＳ７３に進み、潤滑油中の泡が異常発生していることが検出される。このケースはたとえば潤滑油を入れすぎたため内燃機関の可動部分と干渉して潤滑油が泡立てられてしまいフロートが最下限値まで沈み込んでしまったようなケースが考えられる。
【００６６】
この場合にはステップＳ７４において、ＥＣＵは、内燃機関の運転状態を通常状態とは異なる警告状態に設定する。具体的には、ＥＣＵ５０が表示部３０にオイル交換警告灯を点灯するように指示し、また燃料噴射弁２０および点火プラグ２２に対して回転数やトルクをあまり大きくしないように制限する制御を行なう。これによりユーザはエンジンに悪影響がでない程度の回転数でエンジンを動かして修理工場に車両を自力で運ぶことが可能である。そして、ステップＳ７４が終了すると制御はステップＳ１１に進む。
【００６７】
一方、ステップＳ７２においてフロート位置がレベルＥにＦ秒以上ないと判断された場合には、油中泡の異常は発生していないと考えられるため、ステップＳ８に進む。
【００６８】
ステップＳ８では潤滑油の表面の泡の異常が検出される。まずステップＳ８１において、検知装置４７によって超音波信号による反射強度の検出が行なわれ、この結果が図１のメモリ５２に保持される。
【００６９】
そしてステップＳ８２に進み、反射強度がＧ％以上強度低下しているかいないかが判断される。反射強度がＧ％以上低下している場合にはステップＳ８３に進み、表面泡が異常に発生していることが検出される。この場合は、たとえば潤滑油中の消泡剤の効果が薄れてしまったことなどが原因として考えられる。この場合にはステップＳ８４においてＥＣＵ５０は潤滑油の劣化をユーザに報知する。具体的には、表示部３０にオイル交換警告灯を点灯するように指示する。そして、ステップＳ８４が終了するとステップＳ１１に進む。
【００７０】
一方、ステップＳ８２において、反射強度がＧ％以上低下していない場合は、ステップＳ９に進む。ステップＳ９ではオイルレベルの低下が異常に起っていないかどうかが判断される。まず、ステップＳ９１において検知装置４７によって超音波信号によるフロート１０４の位置が計測される。これは超音波の反射時間を換算することにより求められる。この計測がＪ秒以上続けられその結果が図１のメモリ５２に保持される。なお、必要に応じて検出されたフロート位置に対して平均化処理を行なってもよい。
【００７１】
そしてステップＳ９２に進み、フロート１０４の位置が図４で説明したレベルＨにＪ秒以上存在しているか否かが判断される。
【００７２】
ステップＳ９２においてフロート位置がレベルＨにＪ秒以上存在していると判断された場合にはステップＳ９３に進む。ステップＳ９３ではオイルレベルが異常に低下したと判断され、ステップＳ９４においてＥＣＵは、内燃機関の運転状態を通常状態とは異なる警告状態に設定する。ただし、この場合にはオイルを補充すれば解消すると考えられるので警告度合いはステップＳ７４の警告状態よりも低い。
【００７３】
具体的には、ＥＣＵ５０は表示部３０に対してオイルの補充警告灯を点灯するように指示する。また潤滑油の量が少ないためエンジンに無理な運転をさせないように燃料噴射弁２０および点火プラグ２２を制御して回転／トルクを制限する制御を行なう。そして、ステップＳ９４が終了するとステップＳ１１に進む。
【００７４】
一方、ステップＳ９２においてフロート位置がレベルＨにＪ秒以上無かったと判断されれば、ステップＳ１０に進む。
【００７５】
ステップＳ１０においては、オイルレベルの異常上昇が発生していないかどうかが判断される。まずステップＳ１０１において、検知装置４７によって超音波信号によるフロートの位置計測がなされる。反射時間が計測されてこれがフロートの位置に換算される。この処理をＬ秒以上行ない、そして、その結果が図１のメモリ５２に保持されフロートの位置の変動が観測される。なお、必要に応じて検出されたフロート位置に対して平均化処理を行なってもよい。
【００７６】
そしてステップＳ１０２において。フロート１０４の位置が図４で説明したレベルＫにＬ秒以上あるかどうかが判断される
ステップＳ１０２においてフロート１０４の位置がレベルＫにＬ秒以上あったと判断されれば、ステップＳ１０３に進みオイルレベルの上昇異常と判断され、ステップＳ１０４においてＥＣＵ５０は表示部３０に対してオイル交換警告灯を点灯させるように指示する。このようなオイルレベルの異常な上昇は、たとえばピストンリングの隙間から燃焼室の未燃焼の燃料がオイルパン７４の潤滑油中に繰返し混入し蓄積された場合等が考えられる。なお、このような状況は内燃機関の冷間時に発生しやすいので、図１のヒータ４８をオンさせて潤滑油中に混入した未燃焼の燃料の揮発を促してもよい。
【００７７】
そして、ステップＳ１０４が終了するとステップＳ１１に進む。
【００７８】
一方、ステップＳ１０２においてフロート１０４の位置がレベルＫにＬ秒以上無かったと判断されればステップＳ１１に進む。
【００７９】
ステップＳ１１では、イグニッションスイッチがオフされることにより、エンジン停止が発生したか否かが判断される。エンジン停止していない場合には、再びステップＳ７〜Ｓ１０の処理が繰返し行なわれる。
【００８０】
一方、ステップＳ１１においてエンジンが停止したと判断されれば、ステップＳ１に進み、再びイグニッションスイッチがアクセサリオンの位置に設定されるのを待つことになる。
【００８１】
［実施の形態の変形例］
近年、燃料噴射弁から燃料を気筒内に直接噴射するようにした筒内噴射式内燃機関を搭載する車両が見られる。この筒内噴射式内燃機関は、直噴ガソリンエンジンとも呼ばれ、点火プラグの周辺に燃えやすい濃い目の混合気を集中させ、トータルとして薄い空燃比（Ａｉｒ／Ｆｕｅｌ）の混合気を燃焼させて燃費の改善を図るものである。
【００８２】
筒内噴射式内燃機関は、吸気ポート噴射式内燃機関とは異なり、燃料噴射弁の噴射口と気筒内周面との間の距離が極めて短いため、噴射燃料が気筒内周面に直接衝突し得る。
【００８３】
特に、機関冷間時にあっては、気筒内における燃料の霧化が促進されにくく、噴射燃料の一部が燃焼せずに気筒内周面に付着したままの状態となりやすい。気筒内周面には、予めピストンの潤滑のために潤滑油が付着しており、この潤滑油に燃料が混合した状態となる。
【００８４】
そして、燃料が混合した気筒内周面の潤滑油はピストンが上下動するのに伴ってピストンリングによって掻き落とされ、クランクケースを伝って所定量の潤滑油が保持されているオイルパンに戻される。これが繰返されるとオイルパンの潤滑油が燃料によって希釈されてしまう。
【００８５】
ディーゼルエンジンの場合は、ディーゼル微粒子除去装置（ＤＰＦ）の装着が近年叫ばれているが、この種の装置でもフィルタで捕捉した微粒子を燃焼させるために後噴射を行なわせることが考えられている。この場合においても、後噴射した燃料の一部が気筒の内壁に付着し潤滑油が燃料によって希釈されてしまう。
【００８６】
特に機関冷間時にあっては潤滑油の燃料希釈が頻発し、クランクケース内の潤滑油全体に混入する燃料の割合が徐々に増大するようになる。燃料によって潤滑油の希釈が起こると、潤滑油の潤滑性能が低下してしまうのでこれを観測することが望ましい。
【００８７】
本発明によれば、フロートの比重を調整することにより、潤滑油の燃料による希釈を検出することも可能となる。
【００８８】
図７は、燃料による潤滑油の希釈を検出する場合のフロートの比重の設定を説明するための図である。
【００８９】
図７を参照して、潤滑油の比重はおよそ０．８７であり、これに対し燃料の比重はおよそ０．７３である。したがって燃料の比重は潤滑油のおよそ８割から９割程度である。図３で示した気泡の場合と同様に図７においてもＡ％の燃料による希釈が起った場合の潤滑油の比重を水平軸にプロットし、これに垂直な破線を引く。この破線が１対１のラインと交差した点がフロートの比重ａである。
【００９０】
図８は、燃料の希釈に対するＥＣＵ５０の処理を説明するためのフローチャートである。
【００９１】
図８を参照して、まずステップＳ２０１においてイグニッションキーがアクセサリオンの位置に設定されると、続いてステップＳ２０２において検知装置４７を用いて超音波信号によるフロートの位置の計測が行なわれる。そしてステップＳ２０３に進み、イグニッションスイッチがオンの位置に設定されることによりエンジンの運転が開始される。
【００９２】
続いてステップＳ２０４において、検知装置４７を用いて超音波信号によるフロートの位置の計測が行なわれる。この計測はＦ秒以上行なわれ、フロートの位置の変化が観測される。このとき図６に示したようにフロートの位置が図１のメモリ５２に保持される。そしてステップＳ２０５に進み、フロート１０４の位置が図４で説明したレベルＥにＦ秒以上あるか否かが判断される。
【００９３】
ステップＳ２０５においてフロート１０４の位置がレベルＥにＦ秒以上あると判断された場合にはステップＳ２０６に進み、希釈の異常検出と判定されステップＳ２０７に進む。ステップＳ２０７では、ＥＣＵ５０は表示部３０に対してオイル交換警告灯を点灯させ、そして点火プラグ２２および燃料噴射弁２０を制御して、エンジンに無理な運転をさせないように内燃機関の回転およびトルクの制限を行なう。
【００９４】
このとき、ＥＣＵ５０は、触媒装置２７に未燃焼の燃料を供給する後噴射を行なわないようにする。場合によっては図１のヒータ４８を動作させ、潤滑油の温度を上昇させ燃料成分を揮発させてもよい。ステップＳ２０７が終了すると、制御はステップＳ２０８に進む。
【００９５】
一方、ステップＳ２０５においてフロート１０４の位置がレベルＥにＦ秒以上無かったと判断された場合には直接ステップＳ２０８に進む。
【００９６】
ステップＳ２０８では、イグニッションスイッチがオフされることによりエンジン停止されたか否かが判断される。エンジン停止がされていない場合にはステップＳ２０４に進み、再び超音波信号を用いて検知装置４７におけるフロートの位置の計測がなされる。
【００９７】
一方、ステップＳ２０８においてエンジン停止されたと判断された場合にはステップＳ２０１におけるイグニッションスイッチがアクセサリオンの位置に設定されることを待つことになる。
【００９８】
以上説明したように、本発明によれば、油表面の波の影響を減らしつつ超音波の反射時間を測定することによりオイルレベルを安定的に検出し、また超音波の減衰率の測定により気泡層の厚さを計測できる。さらにフロートの密度を調整することで、潤滑油中に大量に気泡が混入したときにフロートを沈ませてこの状況を検知することができる。この場合には減衰率も増加するので単に潤滑油量が減っただけではなく、大量の気泡が混入したということが検出できる。さらには、燃料混入による潤滑油の比重の変化を検出し潤滑油の希釈が発生したことを検出することも可能である。
【００９９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１００】
【図１】本発明の検知装置を搭載する車両の駆動を行なう内燃機関を示した図である。
【図２】図１における検知装置４７の構成を示した図である。
【図３】フロート１０４の比重の設定について説明するための図である。
【図４】検知装置４７が観測する潤滑油のレベルについて説明するための図である。
【図５】図１におけるＥＣＵ５０の制御を説明するための図である。
【図６】図１のメモリ５２に保持されるデータを説明するための図である。
【図７】燃料による潤滑油の希釈を検出する場合のフロートの比重の設定を説明するための図である。
【図８】燃料の希釈に対するＥＣＵ５０の処理を説明するためのフローチャートである。
【符号の説明】
【０１０１】
１１  吸気通路、１２  吸気弁、１２  燃焼室、１３  排気通路、１４  ピストン、１６  ヘッドカバー、１７  シリンダブロック、１７Ａ  シリンダ、１７Ｂ  クランクケース、１８  気筒内周面、２０  燃料噴射弁、２２  点火プラグ、２３  排気弁、２６  スロットルバルブ、２７  触媒装置、３０  表示部、４２  吸入空気量センサ、４３  回転速度センサ、４４  アクセルセンサ、４５  水温センサ、４６  酸素センサ、４７  検知装置、４８  ヒータ、５２  メモリ、６０  アクセルペダル、７２  潤滑油供給装置、７４  オイルパン、１０１  円筒ガイド、１０２  超音波発信機、１０３  超音波受信機、１０４  フロート、１１１  空気孔、１１２  反射面、１１３  底面。
【図１】
2005308563.tif 000003
【図２】
2005308563.tif 000004
【図３】
2005308563.tif 000005
【図４】
2005308563.tif 000006
【図５】
2005308563.tif 000007
【図６】
2005308563.tif 000008
【図７】
2005308563.tif 000009
【図８】
2005308563.tif 000010